【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
撮像装置により撮像された映像から切り出された部分映像をネットワークを介して端末装置に送信する録画装置であって、
前記撮像装置により撮像された映像、及び、前記撮像装置の周辺で状況変化が発生した状況変化発生時刻、及び、前記状況変化があった状況変化領域を記録する記録手段と、
前記状況変化発生時刻よりも前に前記撮像装置により撮像された映像から、前記状況変化領域を切り出す切り出し手段と、
前記切り出し手段により切り出された部分映像を前記端末装置に送信する送信手段とを有することを特徴とする録画装置。
【請求項２】
前記記録手段は、前記状況変化が終息した時刻を記録し、
前記切り出し手段は、前記状況変化が終息した状況変化終息時刻よりも後に前記撮像装置により撮像された映像から、前記状況変化領域を切り出すことを特徴とする請求項１に記載の録画装置。
【請求項３】
前記記録手段に記録された前記状況変化発生時刻を前記端末装置に通知する通知手段と、
前記通知手段により通知した前記状況変化発生時刻よりも前に前記撮像装置により撮像された映像から前記状況変化領域を切り出すための切り出し指示を前記端末装置から受信する受信手段とを有し、
前記切り出し手段は、前記受信手段により受信された切り出し指示に応じて、前記撮像装置により前記状況変化発生時刻よりも前に撮像された映像から、前記状況変化領域を切り出すことを特徴とする請求項１に記載の録画装置。
【請求項４】
前記端末装置により表示中の映像の撮影時刻を取得する取得手段を有し、
前記切り出し手段は、前記端末装置で表示中の部分映像の撮像時刻と、前記状況変化発生時刻との差が所定時間内になったことに応じて、前記撮像装置により撮像された映像から、前記状況変化領域を切り出すことを特徴とする請求項１に記載の録画装置。
【請求項５】
前記撮像装置の周辺で第１の時刻に第１の状況変化と第２の状況変化が発生した場合、
前記切り出し手段は、前記第１の時刻よりも前に前記撮像装置により撮像された映像から、前記第１の状況変化があった第１の状況変化領域と、前記第２の状況変化があった第２の状況変化領域とを含む表示領域を切り出すことを特徴とする請求項１に記載の録画装置。
【請求項６】
前記第１、第２の状況変化領域の面積と、前記表示領域の面積との比が所定範囲内であるか否かを判定する判定手段を有し、
前記切り出し手段は、前記第１、第２の状況変化領域の面積と前記表示領域の面積との比が所定範囲内であると前記判定手段により判定された場合、前記撮像装置により撮像された映像から、前記表示領域を切り出し、
前記第１、第２の状況変化領域の面積と前記表示領域の面積との比が所定範囲内でないと前記判定手段により判定された場合、前記撮像装置により撮像された映像から、前記第１の状況変化領域と前記第２の状況変化領域をそれぞれ切り出すことを特徴とする請求項５に記載の録画装置。
【請求項７】
前記切り出し手段は、前記撮像装置の周辺で第１の時刻に第１の状況変化が発生し、第２の時刻に第２の状況変化が発生した場合、前記端末装置が、前記第１の時刻よりも前の撮像時刻の映像を表示するときに、前記第１の状況変化があった第１の状況変化領域が表示され、前記第２の時刻よりも前の撮像時刻の映像を表示するときに、前記第２の状況変化があった第２の状況変化領域が表示されるように、前記撮像装置により撮像された映像から、前記第１、第２の状況変化領域を切り出すことを特徴とする請求項１に記載の録画装置。
【請求項８】
前記切り出し手段は、前記第１の状況変化領域と前記第２の状況変化領域との距離と、前記第１の時刻と第２の時刻との時間差に基づいて、前記端末装置において、前記第１の状況変化領域から前記第２の状況変化領域までの間を撮像装置による撮像領域が移動しているように表示されるように、前記撮像装置により撮像された映像から切り出す領域を決定することを特徴とする請求項７に記載の録画装置。
【請求項９】
撮像装置により撮像された映像から切り出された部分映像を表示する端末装置であって、
前記撮像装置の周辺で状況変化が発生した状況変化発生時刻を取得する取得手段と、
前記状況変化発生時刻よりも前に前記撮像装置により撮像された映像から、前記状況変化があった状況変化領域が切り出されるように、前記撮像装置により撮像された映像からの切り出し領域を指示する指示手段と、
前記指示手段による指示に応じて切り出された部分映像を受信する受信手段と、
前記受信手段により受信された部分映像を表示させる表示制御手段とを有することを特徴とする端末装置。
【請求項１０】
撮像装置により撮像された映像から切り出された部分映像をネットワークを介して端末装置に送信する録画装置が行なう処理方法であって、
前記撮像装置により撮像された映像、及び、前記撮像装置の周辺で状況変化が発生した状況変化発生時刻、及び、前記状況変化があった状況変化領域を記録する記録工程と、
前記状況変化発生時刻よりも前に前記撮像装置により撮像された映像から、前記状況変化領域を切り出す切り出し工程と、
前記切り出し工程により切り出された部分映像を前記端末装置に送信する送信工程とを有することを特徴とする処理方法。
【請求項１１】
撮像装置により撮像された映像から切り出された部分映像をネットワークを介して端末装置に送信するコンピュータに、
前記撮像装置により撮像された映像、及び、前記撮像装置の周辺で状況変化が発生した状況変化発生時刻、及び、前記状況変化があった状況変化領域を記録する記録手順と、
前記状況変化発生時刻よりも前に前記撮像装置により撮像された映像から、前記状況変化領域を切り出す切り出し手順と、
前記切り出し手順により切り出された部分映像を前記端末装置に送信する送信手順とを実行させるためのプログラム。
【請求項１２】
撮像装置により撮像された映像から切り出された部分映像を表示する端末装置が行なう処理方法であって、
前記撮像装置の周辺で状況変化が発生した状況変化発生時刻を取得する取得工程と、
前記状況変化発生時刻よりも前に前記撮像装置により撮像された映像から、前記状況変化があった状況変化領域が切り出されるように、前記撮像装置により撮像された映像からの切り出し領域を指示する指示工程と、
前記指示工程による指示に応じて切り出された部分映像を受信する受信工程と、
前記受信工程により受信された部分映像を表示させる表示制御工程とを有することを特徴とする処理方法。
【請求項１３】
撮像装置により撮像された映像から切り出された部分映像を表示するコンピュータに、
前記撮像装置の周辺で状況変化が発生した状況変化発生時刻を取得する取得手順と、
前記状況変化発生時刻よりも前に前記撮像装置により撮像された映像から、前記状況変化があった状況変化領域が切り出されるように、前記撮像装置により撮像された映像からの切り出し領域を指示する指示手順と、
前記指示手順による指示に応じて切り出された部分映像を受信する受信手順と、
前記受信手順により受信された部分映像を表示させる表示制御手順とを実行させるためのプログラム。
【手続補正２】
【補正対象書類名】明細書
【補正対象項目名】発明の名称
【補正方法】変更
【補正の内容】
【発明の名称】録画装置、端末装置及び処理方法
【手続補正３】
【補正対象書類名】明細書
【補正対象項目名】０００１
【補正方法】変更
【補正の内容】
【０００１】
本発明は、例えば撮像装置により撮像された映像のうち一部領域の映像を切り出してネットワーク上の端末装置に表示する録画装置、端末装置、処理方法及びプログラムに関する。本発明は、特に、撮像装置の周辺で状況変化が発生したときに、その領域の映像を表示するのに用いて好適なものである。
【手続補正４】
【補正対象書類名】明細書
【補正対象項目名】０００８
【補正方法】変更
【補正の内容】
【０００８】
本発明の録画装置は、撮像装置により撮像された映像から切り出された部分映像をネットワークを介して端末装置に送信する録画装置であって、前記撮像装置により撮像された映像、及び、前記撮像装置の周辺で状況変化が発生した状況変化発生時刻、及び、前記状況変化があった状況変化領域を記録する記録手段と、前記状況変化発生時刻よりも前に前記撮像装置により撮像された映像から、前記状況変化領域を切り出す切り出し手段と、前記切り出し手段により切り出された部分映像を前記端末装置に送信する送信手段とを有することを特徴とする。
本発明の端末装置は、撮像装置により撮像された映像から切り出された部分映像を表示する端末装置であって、前記撮像装置の周辺で状況変化が発生した状況変化発生時刻を取得する取得手段と、前記状況変化発生時刻よりも前に前記撮像装置により撮像された映像から、前記状況変化があった状況変化領域が切り出されるように、前記撮像装置により撮像された映像からの切り出し領域を指示する指示手段と、前記指示手段による指示に応じて切り出された部分映像を受信する受信手段と、前記受信手段により受信された部分映像を表示させる表示制御手段とを有することを特徴とする。
本発明の処理方法は、撮像装置により撮像された映像から切り出された部分映像をネットワークを介して端末装置に送信する録画装置が行なう処理方法であって、前記撮像装置により撮像された映像、及び、前記撮像装置の周辺で状況変化が発生した状況変化発生時刻、及び、前記状況変化があった状況変化領域を記録する記録工程と、前記状況変化発生時刻よりも前に前記撮像装置により撮像された映像から、前記状況変化領域を切り出す切り出し工程と、前記切り出し工程により切り出された部分映像を前記端末装置に送信する送信工程とを有することを特徴とする。
本発明のプログラムは、撮像装置により撮像された映像から切り出された部分映像をネットワークを介して端末装置に送信するコンピュータに、前記撮像装置により撮像された映像、及び、前記撮像装置の周辺で状況変化が発生した状況変化発生時刻、及び、前記状況変化があった状況変化領域を記録する記録手順と、前記状況変化発生時刻よりも前に前記撮像装置により撮像された映像から、前記状況変化領域を切り出す切り出し手順と、前記切り出し手順により切り出された部分映像を前記端末装置に送信する送信手順とを実行させるためのプログラムである。
本発明の処理方法は、撮像装置により撮像された映像から切り出された部分映像を表示する端末装置が行なう処理方法であって、前記撮像装置の周辺で状況変化が発生した状況変化発生時刻を取得する取得工程と、前記状況変化発生時刻よりも前に前記撮像装置により撮像された映像から、前記状況変化があった状況変化領域が切り出されるように、前記撮像装置により撮像された映像からの切り出し領域を指示する指示工程と、前記指示工程による指示に応じて切り出された部分映像を受信する受信工程と、前記受信工程により受信された部分映像を表示させる表示制御工程とを有することを特徴とする。
本発明のプログラムは、撮像装置により撮像された映像から切り出された部分映像を表示するコンピュータに、前記撮像装置の周辺で状況変化が発生した状況変化発生時刻を取得する取得手順と、前記状況変化発生時刻よりも前に前記撮像装置により撮像された映像から、前記状況変化があった状況変化領域が切り出されるように、前記撮像装置により撮像された映像からの切り出し領域を指示する指示手順と、前記指示手順による指示に応じて切り出された部分映像を受信する受信手順と、前記受信手順により受信された部分映像を表示させる表示制御手順とを実行させるためのプログラムである。